(57)【要約】      （修正有）【課題】海釣りにおいて、釣り上げてから手中へ収めるまでに時間を要すると、釣糸が切れたり、針から外れたり、魚の口元が切れて落ちたりして、せっかく釣った魚を逃がしてしまうことが多く、特に、アジは口元が弱く切れ易いので、細心の注意を払わなければならないことから、手網に代わる魚の取り込み手段を提供する。【解決手段】腰に装着したフレーム３を起こして固定し、倒して固定し、および、その切り替えの機構を備えている釣り用の取り込み網であり、着脱可能な取り付け具７ａを、フレーム３または手網７または双方に備えている。【選択図】図４
2015000061.tif 000002
【特許請求の範囲】
【請求項１】
腰に装着したフレームを起こして固定し、倒して固定し、および、その切り替えの機構を備えていることを特徴とする釣り用の取り込み網。
【請求項２】
手網を着脱可能な形式で取り付ける取り付け具を、フレームまたは手網または双方に備えていることを特徴とする請求項１記載の釣り用の取り込み網。
【発明の詳細な説明】
【技術分野】
【０００１】  本発明は、‘竿で釣り上げられる魚’を取り込む網に関するものである。
ここで‘竿で釣り上げられる魚’と限定している訳は、‘竿で釣り上げられない魚’は本発明の対象外にしている理由による。但し対象外であるが、明示を要する箇所では必要な説明をしている。
【背景技術】
【０００２】  従来、釣り上げた魚を取り込む際に図５に示す柄の短い手網８を使用している。渓流釣りの分野、特に鮎釣りでは必需品となっている。
以下、手網８を使った鮎の取り込みについて述べる。
手網８は、通常、柄８ａを腰に差して携帯する。鮎を取り込む際には、タイミングを見計らって素早く片手で柄８ａを腰から抜き取り、鮎を受ける姿勢をとる一方で、竿を持つ手は手網８が届く範囲へ鮎が飛び込んで来るように操作しなければならない。双方を上手に為して、鮎を空中で取り込むことが出来る。
別の方法として、水面を滑らしながら寄せて後、柄８ａを腰から抜き取り鮎をすくい取る方法もある。
いずれも一連の操作は高度な技量を要するが、習熟によって克服できる。
【先行技術文献】
【特許文献】
【０００３】
【特許文献１】特開２００８−１７３０８１
【特許文献２】特開平１０−２４８４６２
【特許文献３】特許４８８４０１５
【特許文献４】特許３６０８８３４
【特許文献５】実登３０１９９６９
【特許文献６】実開平０７−００５３６８  現在、手網８に関する多くのアイデアが公知されている。上記の先行文献は、その一部を抽出したものである。
携帯に関するもの（例えば、特許文献１、２参照）、迅速な操作に関するもの（例えば、特許文献３，４参照）、総じて便宜を図る構造に関するもの（例えば、特許文献５参照）、手で持つのではなく腰に差して使用するもの（例えば、特許文献６参照）がある。
特に特許文献６の図４（Ｃ）に示されている手網の使い方については、詳細に考察した。その結果は、次項中段にて述べる。
【発明の概要】
【発明が解決しようとする課題】
【０００４】  手網８を使った鮎の取り込みは高度な技量を要するが、習熟すれば可能である事を前に述べた。しかし、鮎釣りだからこそ可能と言える。
理由は２点、挙げられる。１点目は鮎釣り用の竿にリールが無い事、２点目は釣れた鮎を足元まで寄せて手網８ですくい取ることも可能な事である。
この点、海釣りの場合は事情が異なる。
海釣りでは、‘竿で釣り上げられない魚’、つまり、竿や釣り糸の許容荷重を超える大きな魚を取り込む場合は、玉網（又はタモ網）と呼ばれる柄の長い（又は伸縮する）網が使われている。
しかし、本発明の対象にしている‘竿で釣り上げられる魚’の取り込みは、現在、その便宜を図る手段が無い。各人各様で行っている。その理由を次に述べる。【０００５】  海釣りでは、リールを備えた磯竿や投げ竿を多用している。このような竿を使う場合、手網８（図５参照）を使って魚を取り込むことが難しい。
何故なら、釣れた魚を釣り上げるために、まずは釣り座近くへ寄せなければならない。その間、片手に竿を持って、一方の片手はリールを巻く操作をしている。
寄せ終わった後でも、竿を持つ片手は魚が外れないように対処し続けなければならない。急に暴れたり、深く潜り込まれたり、藻に絡まったりする不測のトラブルに対応しなければならないからである。
この状況の中で手網８を使うとすれば、タイミングを見極めてリール操作している手を離し、この手で柄８ａを腰から抜いて構えると同時に、竿を持つ手を操作して魚を釣り上げ空中で受けることになる。
ところが不運にも上記トラブルに遭うと、片手では耐えられず手網８を放し両手で竿を操作しなければならないことが多々ある。つまり、手網８が使えない。
一方、足元まで寄せてすくい取れればよいが、釣り座が高くて手網８が届かない。
この解決策として、前述した特許文献６の図４（Ｃ）として示されているような手段が考えられる。すなわち、手で手網を持つのではなく、腰に差したまま魚を取り込めるようにした手段である。しかし、この手段は、常時、手網を前方へ拡げているので釣りの邪魔になり、現実的ではない。ならば同上文献の図４（Ｄ）又は（Ｆ）のように邪魔しない差し方をした場合は、魚を取り込む際に手網を手に持つことになるので、海釣りにおいての解決手段にはならない。【０００６】  現在、海釣りにおける‘釣り上げられる魚‘の取り込みは各自各様である。
良く見かける方法は、釣り上げた時に片手で釣り糸を掴み、その後、竿を傍らに置いてから素手で魚を掴む、又はタオルで魚を包んで掴むようにしている。
ところが掴むまでに時間を要すると、魚を吊るしている釣糸が切れたり、針から外れたり、魚の口元が切れて落ちたり、など等、せっかく釣った魚を逃がしてしまうことがある。特にアジは口元が弱く切れ易いので、勢いよく釣り上げる事もかなわず、釣って手中に収めるまでは細心の注意を払わなければならない。
このような海釣りの事情においては、釣り上げるタイミング見計らって瞬時に備えられる魚の取り込み方法・手段を発明する必要がある。尚、河川の釣りでも、同じ課題を抱える分野は存在する。
【課題を解決するための手段】
【０００７】  図１は、本発明の構成・構造を示す。
円筒１の両端に、２か所の凹部を有する溝（１ａ、１ｂ）が、対称にくり抜いてある。
円筒１の両側には、回転可能なスリーブ（２ａ、２ｂ）を挿入している。
棒材３ａは弾性と剛性を併せ持つ素材（実証試験は傘の骨を使用）で、これを半円状に曲げて、その両末端はスリーブ（２ａ、２ｂ）にそれぞれ差し込み固着してある。
棒材３ａの末端近くは紐３ｂで結び、閉じたフレーム３を形成する。
紐３ｂによる結び方は、棒材３ａを固着しているスリーブ（２ａ、２ｂ）の根元が棒材３ａ自身の弾性により筒１の溝（１ａと１ｂ）の凹部へ押し付けられている状態で、この押し付け力を保ったまま弛みが無いように結んである。且つ、棒材３ａが捩じれないように、溝（１ａ、１ｂ）それぞれの２か所ある凹部は対称の一対を選んで結ぶ。
そして、閉じたフレーム３には、網４が張ってある。
尚、フレーム３を腰へ装着するために、円筒１を平板５に固着し、平板５にベルト６を取り付けた装具を備えている。【０００８】  次に図２を用いて、本発明の作用を説明する。
▲１▼紐３ｂを指に引っ掛けて上方へ引き上げると、
▲２▼弾性を有する棒材３ａが内側へ引っ張られて溝（１ａ、１ｂ）への押し付け力が弱まり、
▲３▼棒材３ａが上方へ滑って溝（１ａ、１ｂ）それぞれの次の凹部へ移る。
ここで紐３ｂから指を外すと、棒材３ａは自身の弾性により移った先の凹部へ再び押し付けられて固定される。逆に▲１▼の操作を下方へ引き下げると、元の凹部へ戻る。
このように▲１▼の操作により、フレーム３が起き上がった、又は倒れた状態にすることの出来る機構を備えている。各状態の意味は、次の説明にて明らかにする。【０００９】  図３は、本発明を使用している様子を表している。
本発明は、平板５を腹に当てベルト６で腰へ装着する。着用しているズボンのベルトに直に引っ掛ける等の手段で装着する装具であってもよい。
図３（Ａ）は、棒材３ａが溝（１ａ、１ｂ：図１または図２参照）の２か所ある凹部の下段に位置して固定されている状態を示す。即ちフレーム３を倒すことにより、網４が畳まれて釣りの邪魔にならないように退避させている様子を示す。
図３（Ｂ）は、魚が釣れた時点で図２▲１▼の操作を行うことにより、フレーム３を起こして棒材３ａを溝（１ａ、１ｂ：図１または図２参照）の２か所ある上段の凹部へ移し固定している状態を示す。その結果は、網４が拡がって何時でも魚が取り込める準備を終えたことになる。図２▲１▼の操作は、後述の取り込む直前で行っても構わない。
その後、魚を釣り上げる又は魚を寄せる間は竿とリールの操作に集中し、取り込む時点に至ってリールを操作していた片手を離して、その手で魚の口元に近い釣り糸を掴む又は直に魚へ添えて網４へ導き入れる。これが、本発明による魚の取り込み方法である。
尚、図２▲１▼操作の実際は、瞬時に網４を開きたいので、指を紐３ｂに引っ掛けると同時に素早く跳ね上げるようにして行う。【００１０】  図３（Ｂ）から（Ａ）への移しは、図２▲１▼の逆の操作で行う。フレーム３の最前部を前へ引っ張り気味にしながら押し下げる方法もある。両手が使える場合は、棒材３ａの両端近くを内側へ軽く押しながら下方へ押し下げる。この操作は、緩やかに行っても構わない。
円筒１を固着した平板５は、本発明を腰へ装着して以降、フレームを起こしたり倒したりする図２▲１▼の操作で、円筒１が回らないようにするためである。
【発明の効果】
【００１１】  図１で示した本発明の構成・構造は、実施例の一つである。この実施例により海釣りにおいて、‘竿で釣り上げられる魚’の取り込みを網で行えるようにした。鮎釣りへの適用も可能であろう。
但し、本発明の効果を最大限に発揮させるためには、魚の取り込み前後を含めて考察し適用性を評価しなければならない。後述の実施例おいて、その詳細を説明する。
【図面の簡単な説明】
【００１２】
【図１】本発明の構成・構造を示した全体図である。
【図２】本発明の作用を示した図である。
【図３】図２に示した作用の意味を説明した図である。
【図４】本発明の実施例を示した図である。
【図５】今日、市販されている手網（一例）を示した図である。
【発明を実施するための形態】
【００１３】  現在、魚を取り込む前後には、次のような作業を行っている。
まず鮎釣りにおいては、オトリ鮎へ施す仕掛けの準備を手網８（図５参照）の中で行っている。鮎釣りへの適用を志向する上では、この作業も本発明において実施可能でなければならない。
海釣りにおいては、取り込んだ後に魚から針を外しクーラーへ移し替える等の作業を行っている。上記同様、この作業も本発明において実施可能でなければならない。
【実施例】
【００１４】  このような観点にたって、実施する手段を次のように考えた。
図１に示した本発明の構成・構造から網４を取り払って、代わりに既存の手網（図５参照：市販品の一例）を流用しフレーム３へ着脱可能な形式で取り付ける。
この考えは、鮎釣りの取り込み前後に対して現状の使い勝手を継承することで対応し、海釣りに対しては取り込み後の作業に伴う、特に魚の扱いや持ち運びの面に活用して便宜が高められるとの狙いである。
実施例を具体化するに際して、流用する手網を様々な形状の市販品から選択することは得策でないとの考えから、図４に示す実施例にした。
本実施例は、本発明のフレーム３に合わせて製作された手網７を双方に備えた取り付け具７ａを介して着脱するようにしている。しかも、フレーム３の形状は手網７の着脱を簡単・確実にするため、中間を逆半円にして前方での引っ掛かりが生じないようにしている。【００１５】  以上の実施例で明らかなことは、本発明におけるフレーム３の構成が網４を張る対象（図１参照）として機能する他に、手網を着脱可能な形式で取り付ける‘支えの機能’を有していることである。
図４の実施例は本発明を前提とした手網７を取り付けているが、市販の手網８（図５参照）をそのまま流用するようにすることも可能であろう。
その場合、フレーム３と手網８を取り付ける取り付け具（図４の７ａ相当）の形状、およびフレーム３を起こしたり倒したりする機構（図２参照）は、他の構成・構造によって実現を図ることも有り得る。いずれも本発明の範疇として割愛するが、図４の実施例は、特にフレーム３の形状が有り得る一つの例として示した。
【符号の説明】
【００１６】１      円筒
１ａ  円筒１に設けてある右側の溝
１ｂ  同上の左側の溝
２      スリーブ
２ａ  右側スリーブ
２ｂ  左側スリーブ
３      フレーム
３ａ  棒材
３ｂ  紐
４      網
５      平板
６      ベルト
７      手網（本発明に合わせて製作したもの。）
７ａ  取り付け具
８      手網（様々な形状を有する市販品の中の一例。）
８ａ  柄
【図１】
2015000061.tif 000003
【図２】
2015000061.tif 000004
【図３】
2015000061.tif 000005
【図４】
2015000061.tif 000006
【図５】
2015000061.tif 000007